(57)【要約】      （修正有）【課題】保管時のスペースを省くと共に組み立てた際の安定性を比較的容易に確保しながら、検体採取者の安全を確保するための検体採取用のボックスを提供する。【解決手段】第１の側面部材１１とその左右何れかに位置する第２の側面部材が互いに内面を向き合い、第２の側面部材と対向する第４の側面部材１４と第１の側面部材１１と対向する第３の側面部材が互いに内側を向き合うように折り畳まれ、その状態で、さらに第１の側面部材１１の外面と第４の側面部材１４の外面が向き合うように折り畳まれるように、互いに隣接する側面部材１１、１４がそれぞれヒンジ部２０で連結されたボックス本体１０において、光を透過する窓部１７と保護グローブ３装着用の装着部材１６を取り付ける二つの開口部１５を第１の側面部材１１に備え、第３の側面部材に人が出入りできる開閉扉を設ける。【選択図】図１
0003228999.tif 000002
【実用新案登録請求の範囲】
【請求項１】
４つの側面部材を有する折り畳み可能なボックス本体と、
検体採取用のグローブが装着される一対の装着部材を備え、
前記側面部材はそれぞれ１枚の板状部材からなり
前記ボックス本体は、
１つの側面部材である第１の側面部材とその左右何れかに位置する第２の側面部材が互いに内面を向き合い、第２の側面部材と対向して位置する第４の側面部材と第１の側面部材と対向して位置する第３の側面部材が互いに内側を向き合うように折り畳まれ、
その状態で、さらに第１の側面部材の外面と第４の側面部材の外面が向き合うように折り畳まれるか、あるいは第２の側面部材の外面と第３の側面部材の外面が向き合うように折り畳まれるように、互いに隣接する側面部材がそれぞれヒンジ部で連結されてなり、
前記側面部材の何れかは、少なくとも側面部材の一部領域に光を透過する窓部と、前記装着部材を取り付けるための二つの開口部を備え、
起立した状態で前記窓部を備えた側面部材と対向して位置する側面部材に、人が出入りできる開閉扉とを、
備えた検体採取用本体ボックス。
【請求項２】
前記開口部を有する側面部材の両側に隣接する側面部材の双方に、折り畳み可能な固定脚が備えられた請求項１に記載の検体採取用本体ボックス。
【請求項３】
前記ボックス本体の上端開口を塞ぐ天井部材を備え、
当該天井部材は、その裏面に前記４つの側面部材うち少なくとも１つの側面部材の上端縁が差し込まれる溝部を備えた請求項１に記載の検体採取用本体ボックス。
【請求項４】
前記固定脚は、折り畳まれた際に平板状に構成され、前記側面部材に固定され、折り畳まれた際に構成される平板部の一方端部に位置する略矩形状の固定部と、展開された際に設置面に接する平面視で凸状となった接地部と、展開された際に前記接地部に対して傾斜して側面部材を支持する傾斜部と、展開された際に前記固定部の非固定面側に押し当てられる保持部を備え、
前記保持部は前記接地部の凸状部の先端縁に折り曲げ可能に備えられ、
２つの前記傾斜部の一端は前記凸状部の基端両縁においてそれぞれ前記接地部に折り曲げ可能に備えられ、前記傾斜部の他端は前記固定部の上端縁にそれぞれ折り曲げ可能に備えられた請求項１〜３の何れか１項に記載の検体採取用本体ボックス。
【請求項５】
請求項１〜４の何れか１項に記載の検体採取本体ボックスの装着部材に保護グローブが備えられた検体採取用ボックス。
【考案の詳細な説明】
【技術分野】
【０００１】
本考案は、検体採取用ボックスに関する。
【背景技術】
【０００２】
いわゆる新型コロナウイルス（ＣＯＶＩＤ−１９）による感染症対策として、被験者から検体を採取して、ＰＣＲ法や抗体検査などにより被験者の感染の有無を可能な限り早期に診断する必要がある。この際、被験者の血液や口腔や鼻腔内の体液や細胞などが検体として用いられるが、特に鼻腔内から検体を採取する場合には、被験者を刺激して咳やくしゃみなどが飛散することがあり、検体採取者が二次感染にさらされるという問題があった。
【０００３】
そこで、検体採取者がほぼ密閉となった電話ボックスのような小部屋（ボックス）内に入り、被験者と距離を保ちながら一つの側面に取り付けられた採取用グローブを用いて、被験者から検体を採取する方法が知られている。
【０００４】
しかしながら、このような構造の検体採取ボックスは、既成品として組み立てられたものであって、流行が終わり使用されなくなれば、組み立てられたまま保管されるか、あるいは解体して保管または廃棄されることが一般的である。このため、そのまま組み立てられた状態で保管すれば広いスペースが必要となり保管費用がかさんだり、分解して保存したりしても、運搬には不便であり、分解しても嵩張ることが考えられた。
【０００５】
一方、特許文献１には組立式のトイレボックスが提案されている。このトイレボックスは、２つに折り畳み可能な側面パネルを備えており、左右の側面パネルを折り畳むことで、省スペースで保管することを可能にしている。
【０００６】
しかしながら、特許文献１に示されたトイレボックスは両側の側面パネルがそれぞれ２つに折り畳み可能になっているため、組み立てる際に２つの側面パネルをほぼ同時に広げないとトイレボックスをたやすく組み立てることができず、トイレボックスの組み立てに要領が必要であった。
【０００７】
また、前記トイレボックスは、側面パネルを広げた状態でボックス本体１０を筒状に維持することができるが、安定性に欠きやすく、天井部材５０に取り付けられたアイボルトとロープを使って地表に安定に固定させる必要があった。
【先行技術文献】
【特許文献】
【０００８】
【特許文献１】特開２００６−１７７１０５号公報
【考案の概要】
【考案が解決しようとする課題】
【０００９】
本考案は上記従来技術に鑑みてなされたものであって、保管時のスペースを省くとともに組み立てた際の安定性を比較的容易に確保しながら、検体採取者の安全を確保するための検体採取用のボックスを提供することを課題とする。
【課題を解決するための手段】
【００１０】
本考案に係る検体採取用本体ボックスは、４つの側面部材を有する折り畳み可能なボックス本体と、検体採取用のグローブが装着される一対の装着部材を備え、前記側面部材はそれぞれ１枚の板状部材からなり、前記ボックス本体は、１つの側面部材である第１の側面部材とその左右何れかに位置する第２の側面部材が互いに内面を向き合い、第２の側面部材と対向して位置する第４の側面部材と第１の側面部材と対向して位置する第３の側面部材が互いに内側を向き合うように折り畳まれ、その状態で、さらに第１の側面部材の外面と第４の側面部材の外面が向き合うように折り畳まれるか、あるいは第２の側面部材の外面と第３の側面部材の外面が向き合うように折り畳まれるように、互いに隣接する側面部材がそれぞれヒンジ部で連結されてなり、前記側面部材の何れかは、少なくとも側面部材の一部領域に光を透過する窓部と、前記装着部材を取り付けるための二つの開口部を備え、起立した状態で前記窓部を備えた側面部材と対向して位置する側面部材に、人が出入りできる開閉扉とを備えている。
【考案の効果】
【００１１】
本考案によると、折り畳まれた状態にできるので省スペースで保管ができるだけでなく、ボックス本体には保護グローブを取り付ける装着部材が設けられているため、ヒトがボックス本体に入って保護グローブを装着した状態で操作できるので、被験者からの飛沫等による感染を防止できる検体採取用ボックスが提供される。
【図面の簡単な説明】
【００１２】
【図１】図１は本考案に係る検体採取用ボックスの概略的斜視図である。
【図２】図２は同上の検体採取用ボックスにおける検体採取用本体ボックスの正面図である。
【図３】図３は同上の検体採取用本体ボックスの背面図である。
【図４】図４は同上の検体採取用本体ボックスの右側面図である。
【図５】図５は同上の検体採取用本体ボックスの固定脚を折り畳んだ状態を示す右側面図である。
【図６】図６は同上の検体採取用本体ボックスの平面図である。
【図７】図７は同上の検体採取用本体ボックスから天井部材を外した状態を示す正面図である。
【図８】図８は同上の検体採取用本体ボックスの天井部材を示す図であって、Ａはその平面図、Ｂはその裏面図、Ｃはその断面図、Ｄはその部分拡大図である。
【図９】図９は同上の検体採取用ボックスにおける保護グローブの装着部材の拡大説明図である。
【図１０】図１０は同上の検体採取用本体ボックスの使用方法を示す説明図である。
【図１１】図１１は同上の検体採取用本体ボックスを折り畳んだ状態におけるその一部を省略した平面拡大図である。
【考案を実施するための形態】
【００１３】
本考案に係る検体採取用ボックスは、検体採取用本体ボックス（以下「本体ボックス」と言う場合もある。）と検体採取用の保護グローブとを備える。検体採取用本体ボックスは、組み立てられた状態、つまり起立時に平面視で矩形状、好ましくはほぼ正方形状をした筒状のボックス本体と、保護グローブを装着するための装着部材を備える。また、必要に応じて、検体採取用本体ボックスは、ボックス本体の上端開口を塞ぐ天井部材を備える。なお、本願では組み立て後の起立したボックス本体を基準として上下方向を意図し、ボックス本体の外側を向いた面を外面、その反対面を内面、保護グローブが装着された側面部材が正面して説明する。
【００１４】
ボックス本体は、隣り合う側面部材がそれぞれヒンジ部で連結され、組み立てられた際には筒状となり、それぞれの側面部材が折り曲げられることなくヒンジ部において、４つの側面部材が重ねられるようにボックス本体が折り畳たまれる。それぞれの側面部材は容易に持ち運びできるように、好ましくは軽量部材、例えば、防水加工が施されたダンボールなど紙を主体とする部材や、ポリプロピレンなどの合成樹脂からなる部材から作製される。
【００１５】
装着部材は、ボックス本体を構成する1つの側面部材に設けられた開口部に取り付けられる。検体採取用本体ボックス内の採取者は、装着部材に取り付けられた保護グローブを装着できる。
【００１６】
保護グローブは、採取者を保護するために、好ましくは採取者の腕まで保護するいわゆる袖付きの保護グローブである。保護グローブの素材として、被験者からの飛沫による感染を防止する観点やその作業性などから、ポリエチレンやポリ塩化ビニル、ニトリルゴム、いわゆるラテックスゴムなどの天然ゴムなど手術用手袋などに用いられる素材が好適である。
【００１７】
開口部が設けられた側面部材には、検体採取用本体ボックス内の採取者が外部を見ることができるように、当該側面部材の少なくとも一部領域に光が透過できる窓部が設けられる。このために、採取者は保護グローブを装着した状態で採取者は、窓部から被験者の状態や検体採取のための操作状況を目視しながら、被験者から検体を採取できる。当該側面部材の全体を窓部にすることもできるが、操作状況を確認できる程度に側面部材の一部領域に窓部を設けるので十分である。また、開口部を当該窓部に設けてもよく、窓部よりも下方に設けることもできる。窓部は例えば透明なアクリル板など側面部材と異なる材質から作製され得る。
【００１８】
ボックス本体は２つの固定脚を備える。固定脚は起立時に向かい合う側面部材、好ましくは窓部を備えた側面部材の左右両側に位置する側面部材に備えられる。固定脚は側面部材と平行に折り畳まれる構造を有することが好ましい。固定脚を備えることで、組み立て後の検体採取用ボックスを安定に設置できる。もっとも固定脚は側面部材に取り外し可能に設けることにしてもよい。
【００１９】
起立時に窓部を備えた側面部材と対向して位置する側面部材には、組み立てられた本体ボックス内に人が出入りするための開閉扉が備えられる。
【００２０】
ボックス本体を折り畳む際には、まず対角にある２つのヒンジ部のところで内側に押し込む、つまり、他の対角にある２つのヒンジ部を左右に引き延ばすようにして、２枚の側面部材があたかも１枚の平板状となり、その平面状となった２枚がその内面同士が向かい合うように押し広げる。そして、次に平面状となった隣接する２枚の側面部材をつなぐヒンジ部のところで２つ折りにすることで、４つの側面部材を重ねたように折り畳むことができる。
【００２１】
すなわち、ボックス本体は、１つの側面部材である第１の側面部材とその左右何れかに位置する第２の側面部材が互いに内面を向き合い、第２の側面部材と対向して位置する第４の側面部材と第１の側面部材と対向して位置する第３の側面部材が互いに内側を向き合うように折り畳まれ、その状態で、さらに第１の側面部材の外面と第４の側面部材の外面が向き合うように折り畳まれるか、あるいは第２の側面部材の外面と第３の側面部材の外面が向き合うように折り畳まれる。このような構造が保持されるならば、前記窓部は４つの側面部材の何れかに設ければよい。また、ボックス本体を組み立てる際は、これとは反対の順序で組み立てればよい。
【００２２】
ボックス本体を折り畳む際には、必要に応じて備えられた天井部材はボックス本体から取り外され、装着部材やそれに取り付けられた保護グローブはボックス本体に取り付けられた状態であっても取り外された状態であってもよい。
【００２３】
取り外された天井部材は、置き忘れがないように、好ましくは何れかの側面部材に一時的に保持される保持部材を備える。保持部材は例えば一対の部材からなり、その一方の部材が天井部材に備えられ、他方の部材は側面部材に備えられる。一対の部材は、例えば面ファスナーであり、磁石と磁石又は強磁性体、例えば鉄板であり得る。また、側面部材や天井部材のいずれか一方に吸盤などの保持部材を備えることでも差し支えない。
【００２４】
さらに、被験者から採取された検体を一時的に載置する試料台をボックス本体に備えてもよい。試料台も折り畳み可能に備えることにしてもよく、また取り外し可能に備えてもよい。
【００２５】
以下、下記の実施例に基づいてさらに詳細に説明するが、本考案は下記実施例に限られることがないのは言うまでもない。
【実施例１】
【００２６】
図１は本考案に係る検体採取用ボックス１の概略的斜視図、図２は本考案に係る検体採取用本体ボックス２の正面図、図３は同上の検体採取用本体ボックス２の背面図、図４は同上の検体採取用本体ボックス２の右側面図である。
【００２７】
検体採取用本体ボックス２は、４つの側面部材１１，１２，１３，１４を有する折り畳み可能なボックス本体１０と、検体採取用の保護グローブ３を装着するための一対の装着部材１６を備える。各側面部材１１，１２，１３，１４はそれぞれ矩形状をした１枚の板状部材からなり、同じ大きさである。各側面部材１１，１２，１３，１４は、表面が防水加工されたダンボールから作成され、軽量化が図られている。ボックス本体１０は、組み立てられた際には平面視でほぼ正方形状をした筒状である。
【００２８】
ボックス本体１０は、１つの側面部材である第１の側面部材１１とその左側に位置する第２の側面部材１２が互いに内面を向き合い、第２の側面部材１２と対向して位置する第４の側面部材１４と、第１の側面部材１１と対向して位置する第３の側面部材１３が互いに内側を向き合うように折り畳まれ、その状態を維持した状態で、さらに第１の側面部材１１の外面と第４の側面部材１４の外面が向き合うように折り畳まれるように、４つの側面部材１１，１２，１３，１４が隣接位置でそれぞれヒンジ部２０によって連結されている。
【００２９】
各ヒンジ部２０は、図１１に示すように、各側面部材１１，１２，１３，１４にそれぞれ備えられる２つの挟持部材２１と連結部材２２を備え、連結部材２２が２つの挟持部材２１に挟み込まれることによって構成される。各挟持部材２１及び連結部材２２は好ましくは各側面部材１１，１２，１３，１４の上下方向の全長にわたって備えられる。
【００３０】
連結部材２２は屈曲可能な板状部材からなり、図示するボックス本体１０では、２つの挟持部材２１が連結部材２２の側方端部と各側面部材１１，１２，１３，１４の側方端部を挟むことでボックス本体２０が構成される。もっとも、２つの挟持部材２１と連結部材２２を端面から見た場合にＹ字状となるヒンジ部材（図示せず）を用いてヒンジ部２０も構成され得る。また、ボックス本体１０を前記のように折り畳み可能にするために、連結部材２２は好ましくはその連結方向に伸縮性を有する素材が好ましく用いられる。
【００３１】
各図に示す検体採取用ボックス１にあっては第１の側面部材１１に、その上下方向のほぼ中央から上方に、ボックス本体１０内から外が目視で見えるように光が透過できる矩形状の窓部１７を備える。窓部１７は無色透明なアクリル板から作製されている。
【００３２】
また、窓部１７にはその下部にその左右方向に一対の円形状の開口部１５が形成されている。開口部１５にはそれぞれ保護グローブ３を着脱可能に取り付けるための装着部材１６が備えられている。装着部材１６は、図９に示すようにボックス本体１０の外側から開口部１５に嵌められる環状の取付部材１６ａと、ボックス本体１０の内側から取付部材１６ａの端部に螺合して第１の側面部材１１に取付部材１６ａを固定する環状の固定部３１材１６ｂからなる。取付部材１６ａの側面にはその周方向に環状の溝１６ｃが形成されており、保護グローブ３の袖の開口部が取り付けられる。この装着部材１６は、取り外し自由に構成されているが、接着剤などで溝を有する取付部材を第１の側面部材１１に固定しても差し支えない。
【００３３】
第２の側面部材１２と第４の側面部材１４にはそれぞれの下部に固定脚３０が備えられている。固定脚３０は折り畳み可能に備えられており、起立時には広げられてボックス本体１０（検体採取用ボックス１）を安定に保つ。それぞれの固定脚３０は、一枚の平面部材から作製され得る。当該平面部材の材質は特に限定されないが、折り畳みが自由に行える材質が選ばれる。また、安定性を重視する観点からは例えば金属製の薄板が用いられ得る。
【００３４】
固定脚３０は、第２の側面部材１２、第４の側面部材１４の下端部に固定される矩形状をした固定部３１と、起立時に設置面に接地する平面視で凸状となった接地部３２と、起立時に接地部３２に対して傾斜して第２の側面部材１２，第４の側面部材１４を支持する傾斜部３３と、接地部３２の凸部３２ａの先端縁（図５に示す破線イ）で折り曲げられて、前記固定部３１に押し当てられる保持部３４を有する。
【００３５】
２つの傾斜部３３の一端は凸部３２ａ基端部から側方に伸びた接地部３２の縁（図４，図５に示す破線ロ）にそれぞれ折り曲げ可能に結合し、傾斜部３３の他端は固定部３１の上端縁（図５に示す破線ハ）にそれぞれ折り曲げ可能に結合している。そして、傾斜部３３の内側縁は凸部３２ａの側端縁及び保持部３４の側端縁にて切り離され、保持部３４の先端縁と固定部３１の上端縁も切り離されている。また、起立時には、保持部３４の裏面（側面部材１２，１４に向く面）と固定部３１の下方表面にある２組の面ファスナー３５によって保持部３４は側面部剤１２,１４に一時的に結合され、折り畳み時には接地部３２の表面側（側面部材１２，１４に向く面）と側面部材１２，１４の表面にある１組の面ファスナー３６によって、接地部３４は側面部材１２,１４が一時的に結合され、図５に示すように固定脚３０は折り畳まれた状態で第２、第４の側面部材１２，１４の外面に固定される。
【００３６】
固定脚３０を展開するためには、まず、接地部３２と第２、第４の側面部材１２，１４を結合している一対の面ファスナー３６を引き剥がして、固定部３１の上端縁（破線ハ）で折り曲げて接地部３２の裏面を設置面に接地させるように広げる。そして、凸部３２ａの先端縁（破線イ）で折り曲げ、傾斜部３３を第２の側面部材１２及び第４の側面部材１４を支持するように傾斜させるとともに、凸部３２ａの基端縁（破線ロ）で折り曲げて固定部３１の面ファスナー３５と保持部３４の面ファスナー３５を結合して、固定脚３０を安定に保つ。また、必要により接地部３２に砂袋などの重りを置いてさらに安定させてもよい。
【００３７】
第３の側面部材１３には、起立時に人が内部に出入りできる開閉扉４０が備えられており、開閉扉４０には把持部４１が備えられている。
【００３８】
この検体採取用ボックス１では天井部材５０を備えている。天井部材５０は必須のものではないが、検体採取用ボックス１を安定に起立させるためには好ましいものである。天井部材５０はボックス本体１０の上端開口よりも平面視でやや大きな正方形状の平面部５１を有し、平面部５１の裏面には、４つの側面部材１１，１２，１３，１４の上端部を保持する溝枠５２が設けられている。この検体採取用ボックス１では各側面部材１１，１２，１３，１４に対応して４つの溝枠５２が設けられており、それぞれの溝枠５２には各側面部材１１，１２，１３，１４の上端部を差し込む溝５３が形成されている。もちろん、図示はしないが、連結部材２２の上端部をはめる溝枠を設けてもよく、環状になった溝枠を設け、挟持部材２１を短くして挟持部材２１の上端を側面部材１１，１２，１３，１４の上端よりも下方に位置させることで、側面部材１１，１２，１３，１４の上端部と共に連結部材２２の上端部を溝枠の溝に差し込むようにしてもよい。
【００３９】
本体ボックス１０を収納する際には、まず天井部材５０を取り外すとともに、展開された固定脚３０を折り畳み、第２，第４の側面部材１２，１４にそれぞれ固定する（図５参照）。次に図１０に示すように、ます対角にある２つのヒンジ部２０をボックス本体１０の対角方向（図の矢印方向）に押して第１の側面部材１１と第２の側面部材１２の内面同士を向き合わせ、第３の側面部材１３と第４の側面部材１４の内面同士を向き合わせる（同図（ｂ））。次に、第１の側面部材１１と第４の側面部材１４の外面同士を向き合わせるよう（同図（ｂ）の矢印方向）に、中央にある２つのヒンジ部２０を折り曲げて、４つの側面部材１１，１２，１３，１４を重ね合わせて折り畳む（同図（ｃ））。なお、収納時には、保護グローブ３はその劣化を避けるために取り外すことが望まれる。組み立てはこの逆順を行えばよい。
【００４０】
このように本考案に係る検体採取用ボックス１は折り畳むことができるため、保管のためのスペースを少なくできる。また、軽量な材質から側面部材１１，１２，１３，１４などを作製することで軽量化が図れ、運搬も容易になる。
【産業上の利用可能性】
【００４１】
試料採取者の安全を確保しながら、小さな保管スペースで保管できる運搬容易な検体採取用のボックス（ブース）が提供される。
【符号の説明】
【００４２】
１    検体採取用ボックス
２    検体採取用本体ボックス
３    保護グローブ
１０    ボックス本体
１１    第１の側面部材
１４    第４の側面部材
１５    開口部
１６    装着部材
２０    ヒンジ部
２２    連結部材
３０    固定脚
３１    固定部
３１ａ  凸部
３３    傾斜部
３６    固定脚を折り畳んだ状態に保持する面ファスナー
４０    開閉扉
５０    天井部材
５３    溝
【図１】
0003228999.tif 000003
【図２】
0003228999.tif 000004
【図３】
0003228999.tif 000005
【図４】
0003228999.tif 000006
【図５】
0003228999.tif 000007
【図６】
0003228999.tif 000008
【図７】
0003228999.tif 000009
【図８】
0003228999.tif 000010
【図９】
0003228999.tif 000011
【図１０】
0003228999.tif 000012
【図１１】
0003228999.tif 000013
【手続補正書】
【提出日】令和2年8月20日(2020.8.20)
【手続補正１】
【補正対象書類名】実用新案登録請求の範囲
【補正対象項目名】全文
【補正方法】変更
【補正の内容】
【実用新案登録請求の範囲】
【請求項１】
４つの側面部材を有する折り畳み可能なボックス本体と、
検体採取用のグローブが装着される一対の装着部材を備え、
前記側面部材はそれぞれ１枚の板状部材からなり
前記ボックス本体は、
１つの側面部材である第１の側面部材とその左右何れかに位置する第２の側面部材が互いに内面を向き合い、第２の側面部材と対向して位置する第４の側面部材と第１の側面部材と対向して位置する第３の側面部材が互いに内側を向き合うように折り畳まれ、
その状態で、さらに第１の側面部材の外面と第４の側面部材の外面が向き合うように折り畳まれるか、あるいは第２の側面部材の外面と第３の側面部材の外面が向き合うように折り畳まれるように、互いに隣接する側面部材がそれぞれヒンジ部で連結されてなり、
前記側面部材の何れかは、少なくとも側面部材の一部領域に光を透過する窓部と、前記装着部材を取り付けるための二つの開口部を備え、
起立した状態で前記窓部を備えた側面部材と対向して位置する側面部材に、人が出入りできる開閉扉とを、
備えた検体採取用本体ボックス。
【請求項２】
前記ボックス本体の上端開口を塞ぐ天井部材を備え、
当該天井部材は、その裏面に前記４つの側面部材うち少なくとも１つの側面部材の上端縁が差し込まれる溝部を備えた請求項１に記載の検体採取用本体ボックス。
【請求項３】
前記開口部を有する側面部材の両側に隣接する側面部材の双方に、折り畳み可能な固定脚が備えられた請求項１又は２に記載の検体採取用本体ボックス。
【請求項４】
前記固定脚は、折り畳まれた際に平板状に構成され、前記側面部材に固定され、折り畳まれた際に構成される平板部の一方端部に位置する略矩形状の固定部と、展開された際に設置面に接する平面視で凸状となった接地部と、展開された際に前記接地部に対して傾斜して側面部材を支持する傾斜部と、展開された際に前記固定部の非固定面側に押し当てられる保持部を備え、
前記保持部は前記接地部の凸状部の先端縁に折り曲げ可能に備えられ、
２つの前記傾斜部の一端は前記凸状部の基端両縁においてそれぞれ前記接地部に折り曲げ可能に備えられ、前記傾斜部の他端は前記固定部の上端縁にそれぞれ折り曲げ可能に備えられた請求項３に記載の検体採取用本体ボックス。
【請求項５】
請求項１〜４の何れか１項に記載の検体採取本体ボックスの装着部材に保護グローブが備えられた検体採取用ボックス。